【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
外付けの電話機を接続するための接続部と、前記外付け電話機を回線へ接続した接続状態及び切断した切断状態を切り替える切替手段と、前記電話機のオフフックを検知する検知手段と、前記電話機と並列に前記回線に接続され、該回線の捕捉状態を制御する網制御手段とを備える通信装置であって、
前記切断状態において、前記検知手段によって前記電話機のオフフックが検知されると、前記回線から見たインピーダンスが前記電話機側よりも低い、前記網制御手段に含まれる第１の回線捕捉手段を用いて、該回線を捕捉する第１の捕捉制御手段と、
前記第１の回線捕捉手段によって前記回線が捕捉された後に、前記切替手段を前記接続状態に切り替えて前記電話機を該回線に接続する接続制御手段と、
を備えることを特徴とする通信装置。
【請求項２】
前記回線に接続され、前記検知手段を駆動するために前記回線の回線電流を前記検知手段へ供給する回線給電手段をさらに備え、
前記接続制御手段は、前記第１の回線捕捉手段によって前記回線が捕捉された後に、さらに、前記回線給電手段を前記回線から切り離すことを特徴とする請求項１に記載の通信装置。
【請求項３】
前記電話機が前記回線に接続された後に、前記第１の回線捕捉手段よりインピーダンスが高い、前記網制御手段に含まれる第２の回線捕捉手段に切り替えて、該回線を捕捉する第２の捕捉制御手段と、
前記第２の回線捕捉手段によって前記回線が捕捉された後に、前記第２の回線捕捉手段による該回線の捕捉状態を解放する回線解放手段と
を更に備えることを特徴とする請求項１または２に記載の通信装置。
【請求項４】
前記切断状態において、前記検知手段によって前記電話機のオフフックが検知される前に、前記回線を介して相手側装置からの着信があると、前記網制御手段と該相手側装置とが通信を行うために、インピーダンスが前記第１の回線捕捉手段より高く、かつ、前記第２の回線捕捉手段より低い、該網制御手段に含まれる第３の回線捕捉手段を用いて、該回線を捕捉する第３の捕捉制御手段をさらに備え、
前記第１の捕捉制御手段は、
前記切断状態において、前記検知手段によって前記電話機のオフフックが検知されると、前記第３の回線捕捉手段から前記第１の回線捕捉手段に切り替えて、前記回線を捕捉することを特徴とする請求項３に記載の通信装置。
【請求項５】
前記検知手段は、
前記切断状態において、前記電話機のオフフックを検知した後、前記回線解放手段によって前記第２の回線捕捉手段による前記回線の捕捉状態が解放されるまでの間、該電話機のオフフックの検知を抑制することを特徴とする請求項３または４に記載の通信装置。
【請求項６】
外付けの電話機を接続するための接続部と、前記外付け電話機を回線へ接続した接続状態及び切断した切断状態を切り替える切替手段と、前記電話機のオフフックを検知する検知手段と、前記電話機と並列に前記回線に接続され、該回線の捕捉状態を制御する網制御手段とを備える通信装置であって、
前記切断状態において、前記検知手段によって前記電話機のオフフックが検知されると、前記網制御手段に含まれる回線捕捉手段における前記回線から見たインピーダンスを、前記電話機側よりも低い第１のインピーダンスに設定し、前記回線捕捉手段を用いて前記回線を捕捉する第１の捕捉制御手段と、
前記第１のインピーダンスの前記回線捕捉手段によって前記回線が捕捉された後に、前記切替手段を前記接続状態に切り替えて前記電話機を該回線に接続する接続制御手段と、
を備えることを特徴とする通信装置。
【請求項７】
前記電話機が前記回線に接続された後に、前記回線捕捉手段のインピーダンスを前記第１のインピーダンスより高い第２のインピーダンスに変更し、前記回線捕捉手段を用いて前記回線を捕捉する第２の捕捉制御手段と、
前記第２のインピーダンスの前記回線捕捉手段によって前記回線が捕捉された後に、前記回線捕捉手段による前記回線の捕捉状態を解放する回線解放手段と
を更に備えることを特徴とする請求項６に記載の通信装置。
【請求項８】
前記切断状態において、前記検知手段によって前記電話機のオフフックが検知される前に、前記回線を介して相手側装置からの着信があると、前記網制御手段と該相手側装置とが通信を行うために、前記回線捕捉手段のインピーダンスを、前記第１のインピーダンスより高く、かつ、前記第２のインピーダンスより低い第３のインピーダンスに設定し、前記回線捕捉手段を用いて前記回線を捕捉する第３の捕捉制御手段をさらに備え、
前記第１の捕捉制御手段は、
前記切断状態において、前記検知手段によって前記電話機のオフフックが検知されると、前記回線捕捉手段のインピーダンスを前記第３のインピーダンスから前記第１のインピーダンスに変更して、前記回線を捕捉することを特徴とする請求項７に記載の通信装置。
【請求項９】
外付けの電話機を接続するための接続部と、前記外付け電話機を回線へ接続した接続状態及び切断した切断状態を切り替える切替手段と、前記電話機のオフフックを検知する検知手段と、前記電話機と並列に前記回線に接続され、該回線の捕捉状態を制御する網制御手段とを備える通信装置の制御方法であって、
第１の捕捉制御手段が、前記切断状態において、前記検知手段によって前記電話機のオフフックが検知されると、前記回線から見たインピーダンスが前記電話機側よりも低い、前記網制御手段に含まれる第１の回線捕捉手段を用いて、該回線を捕捉する第１の捕捉制御工程と、
接続制御手段が、前記第１の回線捕捉手段によって前記回線が捕捉された後に、前記切替手段を前記接続状態に切り替えて前記電話機を該回線に接続する接続制御工程と、
を備えることを特徴とする通信装置の制御方法。
【請求項１０】
外付けの電話機を接続するための接続部と、前記外付け電話機を回線へ接続した接続状態及び切断した切断状態を切り替える切替手段と、前記電話機のオフフックを検知する検知手段と、前記電話機と並列に前記回線に接続され、該回線の捕捉状態を制御する網制御手段とを備える通信装置の制御方法であって、
第１の捕捉制御手段が、前記切断状態において、前記検知手段によって前記電話機のオフフックが検知されると、前記網制御手段に含まれる回線捕捉手段における前記回線から見たインピーダンスを、前記電話機側よりも低い第１のインピーダンスに設定し、前記回線捕捉手段を用いて前記回線を捕捉する第１の捕捉制御工程と、
接続制御手段が、前記第１のインピーダンスの前記回線捕捉手段によって前記回線が捕捉された後に、前記切替手段を前記接続状態に切り替えて前記電話機を該回線に接続する接続制御工程と、
を備えることを特徴とする通信装置の制御方法。
【請求項１１】
コンピュータを請求項１乃至８のいずれか１項に記載の通信装置の各手段として機能させるためのプログラム。
【手続補正２】
【補正対象書類名】明細書
【補正対象項目名】発明の名称
【補正方法】変更
【補正の内容】
【発明の名称】通信装置及びその制御方法、並びにプログラム
【手続補正３】
【補正対象書類名】明細書
【補正対象項目名】０００１
【補正方法】変更
【補正の内容】
【０００１】
本発明は、通信装置及びその制御方法、並びにプログラムに関するものである。
【手続補正４】
【補正対象書類名】明細書
【補正対象項目名】０００９
【補正方法】変更
【補正の内容】
【０００９】
本発明は、上述の問題に鑑みてなされたものであり、外付けの電話機を通信回線に接続する際に、通信回線に生じる電流及び電圧の急激な変化を抑制する仕組みを提供することを目的としている。
【手続補正５】
【補正対象書類名】明細書
【補正対象項目名】００１０
【補正方法】変更
【補正の内容】
【００１０】
本発明は、例えば、通信装置として実現できる。通信装置は、外付けの電話機を接続するための接続部と、外付け電話機を回線へ接続した接続状態及び切断した切断状態を切り替える切替手段と、電話機のオフフックを検知する検知手段と、電話機と並列に回線に接続され、回線の捕捉状態を制御する網制御手段とを備える通信装置であって、切断状態において、検知手段によって電話機のオフフックが検知されると、回線から見たインピーダンスが電話機側よりも低い、網制御手段に含まれる第１の回線捕捉手段を用いて、回線を捕捉する第１の捕捉制御手段と、第１の回線捕捉手段によって回線が捕捉された後に、切替手段を接続状態に切り替えて電話機を回線に接続する接続制御手段と、を備えることを特徴とする。
【手続補正６】
【補正対象書類名】明細書
【補正対象項目名】００１１
【補正方法】変更
【補正の内容】
【００１１】
本発明によれば、外付けの電話機を通信回線に接続する際に、当該通信回線に生じる電流及び電圧の急激な変化を抑制することができる。